(57)【要約】【課題】板厚に関係なく、係止突部を簡易に形成できる軒樋支持具、竪樋支持具の連結構造を提供する。【解決手段】軒先等に取付けられる取付杆１と、軒樋Ｔを固定する軒樋支持具本体２を、連結具３で固定し、上記取付杆１の連結片１３、或いは、上記軒樋支持具本体２の連結部２１の一方には係止突部１５、他方には上記係止突部１５を嵌入係止させる凹所２２を対応して形成した軒樋支持具において、上記係止突部１５は、上記取付杆１の連結片１３の一部を打出加工した複数の小突部に形成する。【選択図】図１
2004036268.tif 000002
【特許請求の範囲】
【請求項１】
軒先等に取付けられる取付杆と、軒樋を固定する軒樋支持具本体を、連結具で固定し、上記取付杆の連結片、或いは、上記軒樋支持具本体の連結部の一方には係止突部、他方には上記係止突部を嵌入係止させる凹所を対応して形成した軒樋支持具において、
上記係止突部は、上記取付杆の連結片、或いは上記軒樋支持具本体の連結部の一部を打出加工した複数の小突部に形成していることを特徴とする軒樋支持具の連結構造。
【請求項２】
請求項１において、
上記軒樋支持具本体は、軒樋を吊下げて支持する構造にしている軒樋支持具の連結構造。
【請求項３】
請求項１において、
上記軒樋支持具本体は、軒樋を受止めて支持する構造にしている軒樋支持具の連結構造。
【請求項４】
軒先等に取付けられる取付杆と、軒樋を固定する軒樋支持具本体を、連結具で固定してなる軒樋支持具において、
上記取付杆は、軒先等に固定される取付部材に固着される取付片が基端に形成され、
上記取付部材と上記取付片との接合連結面の一方には打出加工した複数の小突部、他方には上記小突部を嵌入係止させる凹所を対応して形成していることを特徴とする軒樋支持具の連結構造。
【請求項５】
請求項１〜３の何れかにおいて、
上記取付杆は、軒先等に固定される取付部材に固着される取付片が基端に形成され、
上記取付部材と上記取付片との接合連結面の一方には打出加工した複数の小突部、他方には上記小突部を嵌入係止させる凹所を対応して形成している軒樋支持具の連結構造。
【請求項６】
壁面等に取付けられる取付杆と、竪樋を抱持固定する竪樋支持具本体を、連結具で固定し、
上記取付杆の連結片、或いは、上記竪樋支持具本体の連結部の一方には係止突部、他方には上記係止突部を嵌入係止させる凹所を対応して形成した竪樋支持具において、
上記係止突部は、上記取付杆の連結片、或いは上記竪樋支持具本体の連結部の一部を打出加工した複数の小突部に形成していることを特徴とする竪樋支持具の連結構造。
【請求項７】
壁面等に取付けられる取付杆と、竪樋を抱持固定する竪樋支持具本体を、連結具で固定してなる竪樋支持具において、
上記竪樋支持具本体は、竪樋の外周を抱持するための抱持部材を先端に連結具で固定した連結支持片で構成され、
上記抱持部材と上記連結支持片との接合連結面の一方には打出加工した複数の小突部、他方には上記小突部を嵌入係止させる凹所を対応して形成していることを特徴とする竪樋支持具の連結構造。
【請求項８】
壁面等に取付けられる取付杆と、竪樋を抱持固定する竪樋支持具本体を、連結具で固定してなる竪樋支持具において、
上記取付杆は、壁面等に固定される取付部材に固着される取付片が基端に形成され、
上記取付部材と上記取付片との接合連結面の一方には打出加工した複数の小突部、他方には上記小突部を嵌入係止させる凹所を対応して形成していることを特徴とする竪樋支持具の連結構造。
【請求項９】
請求項６または７の何れかにおいて、
上記取付杆は、壁面等に固定される取付部材に固着される取付片が基端に形成され、
上記取付部材と上記取付片との接合連結面の一方には打出加工した複数の小突部、他方には上記小突部を嵌入係止させる凹所を対応して形成している竪樋支持具の連結構造。
【請求項１０】
請求項１〜９のいずれかにおいて、
上記凹所は、上記小突部の係止位置を移動可能にした複数が連続して形成されている軒樋支持具、竪樋支持具の連結構造。
【発明の詳細な説明】
【０００１】
【発明の属する技術分野】
本発明は軒樋支持具、竪樋支持具の連結構造に関し、詳しくは、軒先や壁面等に取付けられる取付杆と、軒樋又は竪樋を固定する軒樋支持具本体又は竪樋支持具本体を、連結具で固定し、上記取付杆の連結片、或いは、上記軒樋支持具本体又は竪樋支持具本体の連結部の一方には係止突部、他方には上記係止突部を嵌入係止させる凹所を対応して形成した軒樋支持具、竪樋支持具の連結構造に関する。
【０００２】
【従来の技術】
図９は、従来の軒樋支持具の一例を示す分解斜視図である。
【０００３】
従来、軒先や壁面等に取付ける軒樋支持具や竪樋支持具には、様々な構造のものがあるが、ここでは、軒樋支持具の連結構造を例示して説明する。
【０００４】
この軒樋支持具１００は、軒先等に取付けられる取付杆１０１と、軒樋Ｔを固定する軒樋支持具本体１０２を、連結具１０３で固定している。
【０００５】
取付杆１０１は、前方に向けて連結片１１１が延設され、この連結片１１１には、下方に向けて起立された係止突部１２１を形成している。
【０００６】
軒樋支持具本体１０２上面の連結部には、取付杆１０１の係止突部１２１を嵌入係止させる凹所１１２を対応して形成している。
【０００７】
なお、取付杆１０１の連結片１１１には、軸孔１３１が、軒樋支持具本体１０２の長手方向には、長孔１３２が各々形成され、これら軸孔１３１及び長孔１３２にボルト、ナット等の連結具１０３を貫通して連結することで、軒樋支持具本体１０２の出具合を調節可能にしている。
【０００８】
このような構造の軒樋支持具１００では、軒樋支持具本体１０２を所望の位置に調節した後、連結具１０３を締め付けると、軒樋支持具本体１０２が取付杆１０１に圧接されると共に、取付杆１０１の係止突部１２１が、軒樋支持具本体１０２の凹所１１２に嵌入係止され、軒樋支持具本体１０２の移動を確実に規制でき、しかも軒樋支持具本体１０２の不用意な回動を防止できる。
【０００９】
【発明が解決しようとする課題】
しかしながら、この軒樋支持具本体１０２と取付杆１０１との連結構造では、例えば、取付杆１０１の連結片１１１の一部を打出加工して、幅方向に長い一本の線状の係止突部１２１を形成しているため、この係止突部１２１の加工作業において、線状加工精度及び金型加工技術を要するという問題があった。
【００１０】
また、取付杆１０１の連結片１１１の板厚が大きい場合には、上記のような係止突部１２１を打出加工して形成することができないという問題もあった。
【００１１】
本発明は、かかる課題を解決することを目的とし、係止突部の加工作業において、加工精度及び金型加工技術を要することなく、また、板厚に関係なく、取付杆に係止突部を簡易に形成できる軒樋支持具、竪樋支持具の連結構造を提供する。
【００１２】
【課題を解決するための手段】
上記目的を達成するため、請求項１に係る軒樋支持具の連結構造は、軒先等に取付けられる取付杆と、軒樋を固定する軒樋支持具本体を、連結具で固定し、上記取付杆の連結片、或いは、上記軒樋支持具本体の連結部の一方には係止突部、他方には上記係止突部を嵌入係止させる凹所を対応して形成した軒樋支持具において、上記係止突部は、上記取付杆の連結片、或いは上記軒樋支持具本体の連結部の一部を打出加工した複数の小突部に形成していることを特徴とする。
【００１３】
ここで、軒樋支持具とは、軒樋を吊下げて支持する吊式のもの、及び、軒樋を受止めて支持する受式のものの双方を含む意味である。
【００１４】
請求項１では、係止突部は、取付杆の連結片、或いは上記軒樋支持具本体の連結部の一部を打出加工した複数の小突部に形成しているので、係止突部の加工作業において、加工精度及び金型加工技術を要することなく、上記係止突部の加工を素早く且つ簡単にできる。
【００１５】
しかも、打出加工によって、上記小突部を形成しているので、板厚の大きい取付杆であっても、これを容易に形成できる。
【００１６】
請求項２に係る軒樋支持具の連結構造は、請求項１において、上記軒樋支持具本体は、軒樋を吊下げて支持する構造にしている。
【００１７】
請求項２では、軒樋支持具本体を吊式のものに適用している。
【００１８】
請求項３に係る軒樋支持具の連結構造は、請求項１において、上記軒樋支持具本体は、軒樋を受止めて支持する構造にしている。
【００１９】
請求項３では、軒樋支持具本体を受式のものに適用している。
【００２０】
請求項４に係る軒樋支持具の連結構造は、軒先等に取付けられる取付杆と、軒樋を固定する軒樋支持具本体を、連結具で固定してなる軒樋支持具において、上記取付杆は、軒先等に固定される取付部材に固着される取付片が基端に形成され、上記取付部材と上記取付片との接合連結面の一方には打出加工した複数の小突部、他方には上記小突部を嵌入係止させる凹所を対応して形成していることを特徴とする。
【００２１】
請求項４では、軒樋支持具の取付杆は、取付部材と取付片とで構成しており、これらの接合連結面の一方には打出加工した複数の小突部、他方には上記小突部を嵌入係止させる凹所を対応して形成しているので、係止突部の加工作業において、加工精度及び金型加工技術を要することなく、上記係止突部の加工を素早く且つ簡単にできる。
【００２２】
しかも、打出加工によって、上記小突部を形成しているので、板厚の大きい取付杆であっても、これを容易に形成できる。
【００２３】
請求項５に係る軒樋支持具の連結構造は、請求項１〜３の何れかにおいて、上記取付杆は、軒先等に固定される取付部材に固着される取付片が基端に形成され、上記取付部材と上記取付片との接合連結面の一方には打出加工した複数の小突部、他方には上記小突部を嵌入係止させる凹所を対応して形成している。
【００２４】
請求項５では、請求項４に記載された構造を、請求項１〜３に記載された何れかの軒樋支持具に組み合わせて形成している。
【００２５】
請求項６に係る竪樋支持具の連結構造は、壁面等に取付けられる取付杆と、竪樋を抱持固定する竪樋支持具本体を、連結具で固定し、上記取付杆の連結片、或いは、上記竪樋支持具本体の連結部の一方には係止突部、他方には上記係止突部を嵌入係止させる凹所を対応して形成した竪樋支持具において、上記係止突部は、上記取付杆の連結片、或いは上記竪樋支持具本体の連結部の一部を打出加工した複数の小突部に形成していることを特徴とする。
【００２６】
請求項６では、竪樋支持具に適用しており、係止突部は、取付杆の連結片、或いは上記竪樋支持具本体の連結部の一部を打出加工した複数の小突部に形成しているので、係止突部の加工作業において、加工精度及び金型加工技術を要することなく、上記係止突部の加工を素早く且つ簡単にできる。
【００２７】
しかも、打出加工によって、上記小突部を形成しているので、板厚の大きい取付杆であっても、これを容易に形成できる。
【００２８】
請求項７に係る竪樋支持具の連結構造は、壁面等に取付けられる取付杆と、竪樋を抱持固定する竪樋支持具本体を、連結具で固定してなる竪樋支持具において、上記竪樋支持具本体は、竪樋の外周を抱持するための抱持部材を先端に連結具で固定した連結支持片で構成され、上記抱持部材と上記連結支持片との接合連結面の一方には打出加工した複数の小突部、他方には上記小突部を嵌入係止させる凹所を対応して形成していることを特徴とする。
【００２９】
請求項７では、竪樋支持具本体は、抱持部材と連結支持片で構成しており、これらの接合連結面の一方には打出加工した複数の小突部、他方には上記小突部を嵌入係止させる凹所を対応して形成しているので、係止突部の加工作業において、加工精度及び金型加工技術を要することなく、上記係止突部の加工を素早く且つ簡単にできる。
【００３０】
しかも、打出加工によって、上記小突部を形成しているので、板厚の大きい取付杆であっても、これを容易に形成できる。
【００３１】
請求項８に係る竪樋支持具の連結構造は、壁面等に取付けられる取付杆と、竪樋を抱持固定する竪樋支持具本体を、連結具で固定してなる竪樋支持具において、上記取付杆は、壁面等に固定される取付部材に固着される取付片が基端に形成され、上記取付部材と上記取付片との接合連結面の一方には打出加工した複数の小突部、他方には上記小突部を嵌入係止させる凹所を対応して形成していることを特徴とする。
【００３２】
請求項８では、竪樋支持具の取付杆は、取付部材と取付片とで構成しており、これらの接合連結面の一方には打出加工した複数の小突部、他方には上記小突部を嵌入係止させる凹所を対応して形成しているので、係止突部の加工作業において、加工精度及び金型加工技術を要することなく、上記係止突部の加工を素早く且つ簡単にできる。
【００３３】
しかも、打出加工によって、上記小突部を形成しているので、板厚の大きい取付杆であっても、これを容易に形成できる。
【００３４】
請求項９に係る竪樋支持具の連結構造は、請求項６または７の何れかにおいて、上記取付杆は、壁面等に固定される取付部材に固着される取付片が基端に形成され、上記取付部材と上記取付片との接合連結面の一方には打出加工した複数の小突部、他方には上記小突部を嵌入係止させる凹所を対応して形成している。
【００３５】
請求項９では、請求項８に記載された構造を、請求項６または７に記載された竪樋支持具に組み合わせて形成している。
【００３６】
請求項１０に係る軒樋支持具、竪樋支持具の連結構造は、請求項１〜９のいずれかにおいて、上記凹所は、上記小突部の係止位置を移動可能にした複数が連続して形成されている。
【００３７】
請求項１０では、取付杆、軒樋支持具本体、竪樋支持具本体を調節して、固定位置を調整可能にしている。
【００３８】
【発明の実施の形態】
以下、本発明の軒樋支持具、竪樋支持具の連結構造を図面に基いて説明するが、ここでは、軒樋支持具を主に説明する。
【００３９】
図１は、本発明に係る軒樋支持具の一実施例を示す分解斜視図である。
【００４０】
この軒樋支持具Ａは、軒先等に取付けられる取付杆１と、軒樋Ｔを固定する軒樋支持具本体２を、連結具３で固定するようにしている。
【００４１】
取付杆１は、軒先等に打ち込んで固定されるものや、ネジ等で固定されるものの他、一体形成されるものや、複数の部材を組み合わせて形成されるものなど様々な構造に形成できるが、本実施例では、軒先等にネジ等で固定される取付部材１１に、取付片１２を固着される構造のものを例示しており、取付片１２には、前方に向けて連結片１３を延設している。
【００４２】
連結片１３には、ボルト、ナット等の連結具３が貫通される軸孔１４が開設され、この軸孔１４の前、後には、連結片１３を打出加工した複数の小突部１５、１５を形成している。
【００４３】
ここで、打出加工とは、連結片１３の上面から下面に向けてプレス等による加工手段によって一工程で小突部が打出される加工を意味し、このような打出加工によれば、連結片１３の板厚の大きさに関係なく、小突部１５を素早く且つ容易に形成できる。
【００４４】
軒樋支持具本体２上面の連結部２１には、長手方向に長孔２２が形成されるとに、この長孔２２両側の連結部２１には、取付杆１の小突部１５を嵌入係止さる凹所２３を対応して形成している。
【００４５】
この凹所２３は、小突部１５、１５が嵌入係止される位置に対応して形成されていれば良いが、ここでは、軒樋支持具本体２が移動されても小突部１５を嵌入係止できるように、連結部２１を波状或いは鋸歯状に形成して、複数の凹所２３を連続して形成している。
【００４６】
また、軒樋支持具本体２の前、後には、軒樋Ｔの耳部を吊下げて支持するための掛止部２４を形成している。
【００４７】
このように構成した取付杆１の軸孔１４及び軒樋支持具本体２の長孔２２に、連結具３を貫通して連結することで、軒樋支持具本体２の出具合を調節可能にしている。
【００４８】
なお、軒樋支持具本体２の出具合の調節が不要であれば、軒樋支持具本体２の長孔２２に代えて、取付杆１の軸孔１４に重合される軸孔を形成することもできる。
【００４９】
図２は、図１で示した軒樋支持具の要部の動作を示す部分拡大された概略断面図であり、図２（ａ）は、連結具を弛めたリリース状態、図２（ｂ）は、連結具を締め付けた固定状態を各々示し、これら図１、図２に基づき、その動作を説明する。
【００５０】
上記構造の軒樋支持具Ａは、軒樋支持具本体２を所望の位置に調節した後、連結具３を締め付けると、軒樋支持具本体２が取付杆１に圧接されると共に、取付杆１の複数の小突部１５、１５が、軒樋支持具本体２の凹所２３に嵌入係止され、軒樋支持具本体２の移動を確実に規制でき、しかも、連結具３を中心にして複数の小突部１５、１５が形成されているので、軒樋支持具本体２の不用意な回動を確実に防止できる。
【００５１】
一方、連結具３を弛めれば、取付杆１の複数の小突部１５、１５が、軒樋支持具本体２の凹所２３から離脱され、軒樋支持具本体２を移動可能にして、その出具合を調節できる。
【００５２】
このように、本発明に係る軒樋支持具Ａによれば、従来同様の機能を保持しながら、取付杆１に形成される複数の小突部１５は、連結片１３の一部を打出加工して形成しているので、小突部１５、１５の加工作業において、加工精度及び金型加工技術を要することなく、その加工を素早く且つ簡単にできる。
【００５３】
しかも、打出加工によって、小突部１５、１５を形成しているので、板厚の大きい取付杆１であっても、これを容易に形成できる。
【００５４】
なお、図３（ａ）、（ｂ）は、本発明の小突部１５、１５の一実施例を示す部分拡大した平面図であるが、小突部１５、１５は、図３（ａ）で示すような円形状に限らず、図３（ｂ）で示すような矩形状のもの、または、その他の形状（不図示）にしたものや、これらを組み合わせたものであっても良い。
【００５５】
図４、図５は、本発明に係る軒樋支持具の他の実施例を示した分解斜視図である。
【００５６】
ここで、図１〜図３と対応する部位には共通の番号を付して、その説明を省略し、各図の特徴についてのみ説明する。
【００５７】
図４で示す軒樋支持具Ａは、軒樋支持具本体２が、軒樋Ｔを受止めて支持する構造にしたものである。
【００５８】
このような受式の軒樋支持具本体２では、図１のものとは逆に、軒樋支持具本体２の底板が連結部２１となり、その略中央に軸孔１４が形成され、軸孔１４の前、後に、複数の小突部１５、１５を形成している。
【００５９】
一方、取付杆１の連結片１３には、長手方向に長孔２２が形成されると共に、この長孔２２両側に、軒樋支持具本体２の小突部１５を嵌入係止させる波状或いは鋸歯状に形成された複数の凹所２３を連続して形成している。
【００６０】
なお、図４、図５で示す連結具３は、図１のものとは異なり、横回転操作レバー３１を操作することで、座金３２を上下移動させて、軒樋支持具本体２を取付杆１に圧接或いは解除させる構造のものを例示しており、この横回転操作レバー３１をアンロック側からロック側に回転すると、座金３２の突起３４によって、この座金３２が押上げられると共に、座金３２の係止片部３５が、取付杆１の連結片１３下面の凹凸に嵌入係止し、同時に、軒樋支持具本体２は、下方に引き下げられ、その小突部１５が、取付杆１の凹所２２に嵌入係止する構造にしている。
【００６１】
この例のように、連結具３としては、横回転操作レバー３１や縱回転操作レバー（不図示）、蝶ナットやボルトなどを使用しても構わない。
【００６２】
また、図５で示す軒樋支持具Ａは、図１、図４で示したものに加え、更に、取付杆１の取付部材１１と取付片１２との接合連結面の一方には打出加工した複数の小突部１１ａ、１１ａ、他方には小突部１１ａ、１１ａを嵌入係止させる凹所１２ａを対応して形成している。
【００６３】
この例のように、本発明の小突部１１ａ及び凹所１２ａは、取付杆１と軒樋支持具本体２との接合面だけでなく、上記のように取付杆１が分割型の構造のものでは、その接合連結面に本発明を適用することができる。
【００６４】
なお、図１〜図５で示した小突部及び凹所を組み合わせた構造の軒樋支持具Ａであっても構わないことは勿論である。
【００６５】
また、小突部及び凹所を逆にして形成しても良い。
【００６６】
以下では、本発明を竪樋支持具に適用したものについて図面と共に説明する。
【００６７】
図６は、本発明に係る竪樋支持具の一実施例を示す分解斜視図である。
【００６８】
ここで、図１〜図５と対応する部位には共通の番号を付して、その説明を省略し、各図の特徴についてのみ説明する。
【００６９】
この竪樋支持具Ｂは、壁面等に取付けられる取付杆１と、竪樋Ｐを固定する竪樋支持具本体２を、連結具３で固定するようにしている。
【００７０】
取付杆１は、壁面等に打ち込んで固定されるものや、ネジ等で固定されるものの他、全体が一体形成されるものや、複数の部材を組み合わせて形成される分割型のものなど様々な構造に形成できるが、図６では、壁面等にネジ等で固定される固定部１６に、前方に向けて連結片１３を延設して一体形成した取付杆１を示しており、この取付杆１に、長孔２３及び波状或いは鋸歯状の凹所２２を形成している。
【００７１】
一方、竪樋支持具本体２は、竪樋Ｐの外周を抱持するための抱持部材２５を、連結支持片２６の先端にリベット３ａ等で固着して構成している。
【００７２】
なお、抱持部材２５は、図のように２分割されたもの以外の一体形成されたものでも良い。
【００７３】
連結支持片２６には、１以上の軸孔１４を形成すると共に、打出加工した複数の小突部１５、１５を形成している。
【００７４】
このように構成した取付杆１の長孔２３及び竪樋支持具本体２の軸孔１４に、連結具３を貫通して連結することで、竪樋支持具本体２の出具合を調節可能にしている。
【００７５】
上記構造の竪樋支持具Ｂは、竪樋支持具本体２を所望の位置に調節した後、連結具３を締め付けると、竪樋支持具本体２が取付杆１に圧接されると共に、竪樋支持具本体２の複数の小突部１５、１５が、取付杆１の凹所２２に嵌入係止され、竪樋支持具本体２の移動を確実に規制でき、しかも、竪樋支持具本体２の不用意な回動を確実に防止できる。
【００７６】
一方、連結具３を弛めれば、竪樋支持具本体２の複数の小突部１５、１５が、取付杆１の凹所２２から離脱され、竪樋支持具本体２を移動可能にして、その出具合を調節できる。
【００７７】
このように、本発明に係る竪樋支持具Ｂによれば、従来同様の機能を保持しながら、竪樋支持具本体２に形成される複数の小突部１５は、連結支持片２６の一部を打出加工して形成しているので、小突部１５、１５の加工作業において、加工精度及び金型加工技術を要することなく、その加工を素早く且つ簡単にできる。
【００７８】
しかも、打出加工によって、小突部１５、１５を形成しているので、板厚の大きい取付杆１であっても、これを容易に形成できる。
【００７９】
図７は、本発明に係る竪樋支持具の他の実施例を示した分解斜視図である。
【００８０】
ここで、図６と対応する部位には共通の番号を付して、その説明を省略し、各図の特徴についてのみ説明する。
【００８１】
この竪樋支持具Ｂでは、竪樋支持具本体２における抱持部材２５の接合連結面には、打出加工した複数の小突部２５ａ、これに連結される他方の接合連結面には、小突部２５ａを嵌入係止させる凹所２６ａを対応して形成したものである。
【００８２】
この例のように、本発明の小突部２５ａ及び凹所２６ａは、取付杆１と竪樋支持具本体２との接合面だけでなく、竪樋支持具本体２が分割型の構造のものでは、その接合連結面に本発明を適用することができる。
【００８３】
図８は、本発明に係る竪樋支持具の更に他の実施例を示した分解斜視図であり、ここでは、図５で示した軒樋支持具Ａの取付杆１を、竪樋支持具Ｂに適用したものである。
【００８４】
この例のように、本発明の小突部１１ａ及び凹所１２ａは、取付杆１と竪樋支持具本体２との接合面だけでなく、取付杆１が分割型の構造のものでは、その接合連結面に本発明を適用することができる。
【００８５】
なお、図６〜図８で示した小突部及び凹所を組み合わせた構造の竪樋支持具Ｂであっても構わないことは勿論である。
【００８６】
また、小突部及び凹所を逆にして形成しても良い。
【００８７】
【発明の効果】
本発明によれば、次のような効果がある。　請求項１に係る軒樋支持具の連結構造によれば、係止突部は、取付杆の連結片、或いは上記軒樋支持具本体の連結部の一部を打出加工した複数の小突部に形成しているので、係止突部の加工作業において、加工精度及び金型加工技術を要することなく、上記係止突部の加工を素早く且つ簡単にできる。
【００８８】
しかも、打出加工によって、上記小突部を形成しているので、板厚の大きい取付杆であっても、これを容易に形成できる。
【００８９】
請求項２に係る軒樋支持具の連結構造によれば、軒樋支持具本体が吊式のものであっても、請求項１と同様の効果を得る。
【００９０】
請求項３に係る軒樋支持具の連結構造によれば、軒樋支持具本体が受式のものであっても、請求項１と同様の効果を得る。
【００９１】
請求項４に係る軒樋支持具によれば、軒樋支持具の取付杆は、取付部材と取付片とで構成しており、これらの接合連結面の一方には打出加工した複数の小突部、他方には上記小突部を嵌入係止させる凹所を対応して形成しているので、係止突部の加工作業において、加工精度及び金型加工技術を要することなく、上記係止突部の加工を素早く且つ簡単にできる。
【００９２】
しかも、打出加工によって、上記小突部を形成しているので、板厚の大きい取付杆であっても、これを容易に形成できる。
【００９３】
請求項５に係る軒樋支持具の連結構造によれば、請求項４に記載された構造を、請求項１〜３に記載された何れかの軒樋支持具に組み合わせて適用できる。
【００９４】
請求項６に係る竪樋支持具の連結構造によれば、係止突部は、取付杆の連結片、或いは上記軒樋支持具本体の連結部の一部を打出加工した複数の小突部に形成しているので、係止突部の加工作業において、加工精度及び金型加工技術を要することなく、上記係止突部の加工を素早く且つ簡単にできる。
【００９５】
しかも、打出加工によって、上記小突部を形成しているので、板厚の大きい取付杆であっても、これを容易に形成できる。
【００９６】
請求項７に係る竪樋支持具の連結構造によれば、竪樋支持具本体は、抱持部材と連結支持片で構成しており、これらの接合連結面の一方には打出加工した複数の小突部、他方には上記小突部を嵌入係止させる凹所を対応して形成しているので、係止突部の加工作業において、加工精度及び金型加工技術を要することなく、上記係止突部の加工を素早く且つ簡単にできる。
【００９７】
しかも、打出加工によって、上記小突部を形成しているので、板厚の大きい取付杆であっても、これを容易に形成できる。
【００９８】
請求項８に係る竪樋支持具の連結構造によれば、竪樋支持具の取付杆は、取付部材と取付片とで構成しており、これらの接合連結面の一方には打出加工した複数の小突部、他方には上記小突部を嵌入係止させる凹所を対応して形成しているので、係止突部の加工作業において、加工精度及び金型加工技術を要することなく、上記係止突部の加工を素早く且つ簡単にできる。
【００９９】
しかも、打出加工によって、上記小突部を形成しているので、板厚の大きい取付杆であっても、これを容易に形成できる。
【０１００】
請求項９に係る竪樋支持具の連結構造によれば、請求項８に記載された構造を、請求項６または７記載された竪樋支持具に組み合わせて適用できる。
【０１０１】
請求項１０に係る軒樋支持具、竪樋支持具の連結構造によれば、取付杆、軒樋支持具本体、竪樋支持具本体を調節して、固定位置を調整可能にできる。
【図面の簡単な説明】
【図１】本発明に係る軒樋支持具の一実施例を示す分解斜視図
【図２】（ａ）、（ｂ）は、図１で示した軒樋支持具の要部の動作を示す部分拡大された概略断面図
【図３】（ａ）、（ｂ）は、本発明の小突部の一実施例を示す部分拡大した平面図
【図４】本発明に係る軒樋支持具の他の実施例（受式）を示した分解斜視図
【図５】本発明に係る軒樋支持具の他の実施例（取付杆の構造）を示した分解斜視図
【図６】本発明に係る竪樋支持具の一実施例を示す分解斜視図
【図７】本発明に係る竪樋支持具の実施例を示した分解斜視図
【図８】本発明に係る竪樋支持具の更に他の実施例を示した分解斜視図
【図９】従来の軒樋支持具の一例を示す分解斜視図
【符号の説明】
Ａ　　軒樋支持具
Ｂ　　竪樋支持具
１　　取付杆
１１　取付部材
１２　取付片
１３　連結片
１５　小突部（係止突部）
２　　軒樋支持具本体（竪樋支持具本体）
２１　連結部
２２　凹所
３　　連結具
【図１】
2004036268.tif 000003
【図２】
2004036268.tif 000004
【図３】
2004036268.tif 000005
【図４】
2004036268.tif 000006
【図５】
2004036268.tif 000007
【図６】
2004036268.tif 000008
【図７】
2004036268.tif 000009
【図８】
2004036268.tif 000010
【図９】
2004036268.tif 000011